(57)【要約】      （修正有）【課題】充電ソケットとＵＳＢ電子製品を挿入接続充電させることができ、充電ソケットが充電状態表示開口を有する壁掛け柱状木製ＵＳＢ充電装置を提供する。【解決手段】幅１００〜２００ｍｍ、奥行き５０〜１２０ｍｍ、長さ８００〜１５００ｍｍの壁掛け柱状の長方体形木製箱状体のＵＳＢ充電装置であって、化粧合板で構成されている表面の上部に、１〜４口のＵＳＢ差し込み口スロット４、又は１〜４口のＡＣ１００Ｗコンセント５が床面から７００〜１０００ｍｍの位置に配置され、裏面には壁取り付け具が配置されている。【選択図】図１
0003223524.tif 000002
【実用新案登録請求の範囲】
【請求項１】
幅１００〜２００ｍｍ、奥行き５０〜１２０ｍｍ、長さ８００〜１５００ｍｍの壁掛け柱状の長方体形木製箱状体において、化粧合板で構成されている表面部の上部に、ＵＳＢ差し込み口スロット１〜４口、又はＡＣ１００Ｗコンセント１〜４口を床面から７００〜１０００ｍｍの位置に配置されて、裏面に壁取り付け具を取り付けられていることを特徴とする壁掛け柱状木製ＵＳＢ充電装置。
【請求項２】
壁掛け柱状の長方体形木製箱状体の内部には、回路板と電気接続し、表面部に１個、又は２〜４個並列の充電コンセントソケット、又は１個、又は２〜４個並列のＵＳＢスロットを設ける充電回路をもうけている木製柱状パネル体であって、裏面には安定に固定できる簡易金属製の嵌め込み式壁掛け具を取り付けていることを特徴とする請求項１に記載の壁掛け柱状木製ＵＳＢ充電装置。
【考案の詳細な説明】
【技術分野】
【０００１】本考案は、ホテル、店舗などの多くの方が集まる場所に充電ソケットとＵＳＢ電子製品を挿入接続充電させることができ、且つ該壁式充電挿入ソケットが充電状態充電状態表示開口を有し、壁掛け柱状木製ＵＳＢ充電装置を設置することに関する。
【背景技術】
【０００２】  ＭＰ３、ＰＤＡ、携帯電話、デジタルビデオカメラ、メモリスティック等の電子製品は、生活中に満ち溢れている。各電子製品は、通常、何れも充電可能な充電式電池を内蔵し、電子製品の電力供給元としている。従って、各電子製品は、何れも、それぞれの充電器を有し、都市電源コネクタに接続し、都市電源を電子装置が必要な充電電源を期待し、その内部の充電電池に対し、充電を行っている。【０００３】壁ソケットと、回路板と、透光ソケットと、充電ソケットと、パネルと、を含んで構成され、主に回路板に設けるＬＥＤ灯を利用し、且つ回路板が壁ソケット内に設置され、灯光ソケットは、壁ソケット上に設置され、充電ソケットが透光ソケット内に設置され、回路板と電気接続し、且つ該充電ソケット上にＵＳＢスロットを設け、パネルが壁ソケットにカバー設置され、このように、ＵＳＢ電気機器製品がＵＳＢコネクタに電気接続し、ＬＥＤ灯が透光ソケット及びそれとパネルの間から充電状態開口を散射するものが提案されている（特許文献１参照）。【０００４】面板によって壁面などの所定の位置に固定されるように、前記面板における位置決め溝に結合するための筐体を含む埋め込み型充電ソケットとして、筐体は、一方の側にＡＣ電流を入力するためのＡＣ入力端が設けられ、他方の側に少なくとも１つのユニバーサル・シリアル・バス（ＵＳＢ）スロットが設けられている。また、前記筐体の内部においては、両側にそれぞれＡＣ入力端及びＵＳＢスロットが電気的に接続されることによって、ＡＣ電流をＤＣ電流に変換してからＵＳＢスロットを介して出力し、ＵＳＢプラグが挿入されると、電気機器に充電するＡＣ／ＤＣ変換回路が設けられているものが提案されている（特許文献２参照）。【０００５】  しかしながら、各種電子装置は、何れもパソコンと接続使用するＵＳＢ（Ｕｎｉｖｅｒｓａｌ  Ｓｅｒｉａｌ  Ｂｕｓ）インタフェースを有し、ＵＳＢインタフェースは、各式電子装置に広く使用され、多くの電子装置がＵＳＢインタフェースを介し、内部リチウム電池の充電プロセスを行い、該ＵＳＢインタフェースを介し、データの伝達を行うこともでき、或いは、パソコン上のＵＳＢスロットを利用し、該消費者の電子製品に対し充電使用し、多用途の効果を達成する（特許文献３参照）。【０００６】  これに鑑みて、関連産業に長年従事した技術経験により、開発及び設計を行い、ＵＳＢ壁式充電コンセントを提案し、壁掛け柱状木製ＵＳＢ充電装置によって、ＵＳＢ電子製品に充電させることができ、ＵＳＢ電子製品の充電状態を判別できるような装置が期待されている。
【先行技術文献】
【特許文献】
【０００７】
【特許文献１】実用新案登録第３１７６０５４号公報
【特許文献２】実用新案登録第３１６１４７２号公報
【特許文献３】特開２０１１−１５２０３９号公報
【考案の概要】
【考案が解決しようとする課題】
【０００８】  本考案は、ＵＳＢ電子製品に充電を行わせるだけでなく、充電状態表示開口を有し、使用者にＵＳＢ電子製品の充電状態を判別させる壁掛け柱状木製ＵＳＢ充電装置を提供することにある。現代生活の中で携帯電話等のモバイル機器は、切り離すことのできない必需品として定着し、今後の所持率も増加傾向にあるといえます。このようなモバイル需要が増えているため、最近では、施設や店舗などでのフリーＷｉ−ｆｉの導入が進んでいるのも現状です。街中でのモバイル機器類を充電できる場所が非常に少ないのが懸念されます。そこで、フリーＷｉ−ｆｉのように手軽に充電を提供できるような提案ができないかと考え、１００Ｖコンセントさえあれば、設置可能で、壁面取付対応型になって柱状でシンプルな形のＵＳＢを充電できる装置を提供する。
【課題を解決するための手段】
【０００９】幅１００〜２００ｍｍ、奥行き５０〜１２０ｍｍ、長さ８００〜１５００ｍｍの壁掛け柱状の長方体形木製箱状体において、メラミン化粧板、又はポリエステル化粧合板で構成されている表面の上部面に、ＵＳＢ差し込み口スロット１〜４口、又はＡＣ１００Ｗコンセント１〜４口を床面から７００〜１０００ｍｍの位置に配置されて、裏面に壁取り付け具を配置されている壁掛け柱状木製ＵＳＢ充電装置である。【００１０】壁掛け柱状の長方体形木製箱状体の内部には、回路板と電気接続し、表面に１個、２〜４個並列の充電コンセントソケット、又は１個、２〜４個並列のＵＳＢスロットを設ける充電回路をもうけている木製柱状パネル体であって、裏面には安定に固定できる簡易金属製の嵌め込み式壁掛け具を所持している。【００１１】従って、本考案は、スマホに時代で充電設備を所持していない場合には、簡単に充電が可能であり、充電装置を持ち歩く必要はなく、便利なものであり、実用性及び進歩性を相当有する考案であるということができ、産業界に広く推進し、社会大衆に公開するに値するものである。
【考案の効果】
【００１２】本考案の壁掛け柱状木製ＵＳＢ充電装置は、ホテル、店舗などの多くの方が集まる場所に充電ソケットとＵＳＢ電子製品を挿入接続充電させることができ、特にスマホに時代で充電設備を所持していない場合には、ＵＳＢ電子製品に充電を行わせるだけでなく、充電状態表示開口を有し、使用者にＵＳＢ電子製品の充電状態を判別させることができる。
【図面の簡単な説明】
【００１３】
【図１】本考案の壁掛け柱状木製ＵＳＢ充電装置の斜視図である。
【図２】本考案の壁掛け柱状木製ＵＳＢ充電装置における裏面の壁取り付け具、回路板の状態図である。
【図３】本考案の壁掛け柱状木製ＵＳＢ充電装置の使用されている配置図である。
【考案を実施するための形態】
【００１４】  本考案が達成することができる上記の目的及び効果について、実施例を挙げて説明し、図１〜図５に示すように、図中に示す本考案のＵＳＢ壁式充電コンセントを示す。
【実施例１】
【００１５】図１に示すように、幅１８０ｍｍ、奥行き１００ｍｍ、長さ１２００ｍｍの柱状の壁掛け長方体形木製箱状体において、ポリエステル化粧合板で構成されている表面の上部面に、コンセント数としてＵＳＢ：２口とＡＣ１００Ｗ：２口を配置されて、裏面に壁取り付け具を取り付けている壁掛け柱状木製ＵＳＢ充電装置である。【００１６】柱状の壁掛け長方体形木製箱状体に、図２、３のように該少なくとも内部に回路板と電気接続し、表面に２個の並列充電ソケットと２個の並列ＵＳＢスロットを設ける充電回路をもうけている木製パネルであって、図２に示すように裏面には簡易金属製の嵌め込み式壁掛け具を取り付けた。【００１７】図柱状の壁掛け長方体形木製箱状体は、ポリエステル化粧合板で構成された本体サイズＷ１８０ｍｍ×Ｄ１００ｍｍ×Ｈ１２００ｍｍであり、本体における重量約５ｋｇで、高さ１０００ｍｍの付近にコンセント数ＵＳＢ×２口と、ＡＣ×２口であって、電源として（定格電力ＡＣ１００Ｖ  ５０／６０ＨＺ・消費電力１２００Ｗ）を使用した。パネル体表面には白色のコンセントカラーと内部から接続電源コード２ｍを設けて入りであった。
【実施例２】
【００１８】幅２００ｍｍ、奥行き１２０ｍｍ、長さ１５００ｍｍの壁掛け柱状の長方体形木製箱状体において、ポリエステル化粧合板で構成されている表面の上部面に、ＵＳＢ差し込み口スロット３口、又はＡＣ１００Ｗコンセント３口を床面から１０００ｍｍの位置に配置されて、裏面に壁取り付け具を配置されている壁掛け柱状木製ＵＳＢ充電装置であった。【００１９】壁掛け柱状の長方体形木製箱状体の内部には、回路板と電気接続し、表面に３個並列の充電コンセントソケット、又は３個並列のＵＳＢスロットを設ける充電回路をもうけている木製柱状パネル体であって、裏面には安定に固定できる簡易金属製の嵌め込み式壁掛け具を所持した。【００２０】本考案は、スマホに時代で充電設備を所持していない場合には、簡単に充電が可能であり、充電装置を持ち歩く必要はなく、便利なものであり、実用性及び進歩性を相当有する考案であるということができ、産業界に広く推進し、社会大衆に公開するに値するものであった。【００２１】  本考案の使用時について、図３を参照し、充電ソケット及びＬＥＤのオン又はオフを制御することができるようにした。本実施例のＵＳＢ充電コンセントは、充電待機時には、点灯する充電状態開口を有するようにした。ＵＳＢ電気機器が充電を完成する時、点灯する充電状態にしているようにしている。
使用者のＵＳＢ電子製品に充電を行わせるだけでなく、充電状態表示開口を有し、使用者にＵＳＢ電子製品の充電状態を判別させた。
【実施例３】
【００２２】図１に示すように、幅１８０ｍｍ、奥行き１００ｍｍ、長さ１２００ｍｍの柱状の壁掛け長方体形木製箱状体において、ポリエステル化粧合板で構成されている表面の上部面に、コンセント数としてＵＳＢ：２口とＡＣ１００Ｗ：２口を配置されて、裏面に壁取り付け具を取り付けている壁掛け柱状木製ＵＳＢ充電装置であった。【００２３】柱状の壁掛け長方体形木製箱状体に、図２、３のように該少なくとも内部に回路板と電気接続し、表面に２個の並列充電ソケットと２個の並列ＵＳＢスロットを設ける充電回路をもうけている木製パネルであって、図２に示すように裏面には簡易金属製の嵌め込み式壁掛け具を取り付けた。【００２４】図柱状の壁掛け長方体形木製箱状体は、ポリエステル化粧合板で構成された本体サイズＷ１８０ｍｍ×Ｄ１００ｍｍ×Ｈ２００ｍｍであり、本体における重量約５ｋｇで、高さ１０００ｍｍの付近にコンセント数ＵＳＢ×２口と、ＡＣ×２口であって、電源として（定格電力ＡＣ１００Ｖ  ５０／６０ＨＺ  ・消費電力１２００Ｗ）を使用した。パネル体表面には白色のコンセントカラーと内部から接続電源コード２ｍを設けて入りであった。
【符号の説明】
【００２５】１  壁掛け柱状木製ＵＳＢ充電装置
２  長方体形木製箱状体
３  コンセント
４  ＵＳＢ口
５  電源ＡＣコンセント口
６  メラミン、ポリエステル化粧板
８  壁
９  充電ソケット
１１  スマホ
１２  床面
１３  取り付け金具（嵌め込み具）
１４  支持構造
【図１】
0003223524.tif 000003
【図２】
0003223524.tif 000004
【図３】
0003223524.tif 000005